【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
（ｉ）第１の封入層、
（ｉｉ）１つまたは複数の電気的に相互接続された太陽電池を含むと共に受光面と裏面との２つの反対の表面を有する太陽電池層、および
（ｉｉｉ）任意に含んでもよい第２の封入層
を含むアセンブリから調製される太陽電池モジュールであって、
ａ）前記第１の封入層が約０．１〜約２０ミル（約０．００３〜約０．５１ｍｍ）の総厚を有し；
ｂ）前記第１の封入層が、α−オレフィンと、コポリマーの総重量を基準にして約１８〜約２５重量％のα，β−エチレン性不飽和カルボン酸との部分的にまたは完全に中和された酸コポリマーに由来するアイオノマー組成物を含む少なくとも１つの表面層を含み、
ｃ）前記第１の封入層が前記太陽電池層の受光面の隣に配置され、および
ｄ）存在する場合には、前記第２の封入層が前記太陽電池層の裏面に隣接して配置されている太陽電池モジュール。
【請求項２】
上から下に、（ｉ）透明材料製の入射層、（ｉｉ）第１の封入層、（ｉｉｉ）１つまたは複数の電気的に相互接続された太陽電池を含む太陽電池層、（ｉｖ）任意により、第２の封入層、および（ｖ）バックシートから本質的になるアセンブリから調製される太陽電池モジュールであって、前記第１の封入層が、約０．１〜約２０ミル（約０．００３〜約０．５１ｍｍ）の総厚を有すると共に、α−オレフィンと、コポリマーの総重量を基準にして約１８〜約２５重量％のα，β−エチレン性不飽和カルボン酸との酸コポリマーに由来するアイオノマー組成物を含む少なくとも１つの表面層を含み、前記酸コポリマーが、１種以上の金属イオンで総カルボン酸含有量を基準にして約１０％〜約１００％中和されている太陽電池モジュール。
【請求項３】
（ｉ）上から下に、入射層、第１の封入層、１つまたは複数の電気的に相互接続された太陽電池を含む太陽電池層、任意の第２の封入層、およびバックシートを含むアセンブリを提供する工程および（ｉｉ）前記アセンブリを積層して太陽電池モジュールを形成する工程を含む太陽電池モジュールを製造する方法であって、前記第１の封入層が、約０．１〜約２０ミル（約０．００３〜約０．５１ｍｍ）の総厚を有すると共に、α−オレフィンと、コポリマーの総重量を基準にして約１８〜約２５重量％のα，β−エチレン性不飽和カルボン酸との部分的にまたは完全に中和された酸コポリマーに由来するアイオノマー組成物を含む少なくとも１つの表面層を含む方法。
【手続補正２】
【補正対象書類名】明細書
【補正対象項目名】０１４５
【補正方法】変更
【補正の内容】
【０１４５】
実施例１５５〜１７０
表１６に列挙してあるとおり、実施例１５５〜１７０は、実施例１０５〜１１２における積層体の調製に用いられるものと同様の方法で製造される１２×１２インチ（３０５×３０５ｍｍ）太陽電池積層体構造である。層１および２は、太陽電池積層体の入射層から構成され、層４および５は太陽電池積層体の裏側層から構成される。
次に、本発明の態様を示す。
1.  （ｉ）第１の封入層、
（ｉｉ）１つまたは複数の電気的に相互接続された太陽電池を含むと共に受光面と裏面との２つの反対の表面を有する太陽電池層、および
（ｉｉｉ）任意に含んでもよい第２の封入層
を含むアセンブリから調製される太陽電池モジュールであって、
ａ）前記第１の封入層が約０．１〜約２０ミル（約０．００３〜約０．５１ｍｍ）の総厚を有し；
ｂ）前記第１の封入層が、α−オレフィンと、コポリマーの総重量を基準にして約１８〜約２５重量％のα，β−エチレン性不飽和カルボン酸との部分的にまたは完全に中和された酸コポリマーに由来するアイオノマー組成物を含む少なくとも１つの表面層を含み、
ｃ）前記第１の封入層が前記太陽電池層の受光面の隣に配置され、および
ｄ）存在する場合には、前記第２の封入層が前記太陽電池層の裏面に隣接して配置されている太陽電池モジュール。
2.  前記第１の封入層が、アイオノマー組成物から本質的になる上記１に記載の太陽電池モジュール。
3.  前記酸コポリマーが、コポリマーの総重量を基準にして約２０〜約２３重量％のα，β−エチレン性不飽和カルボン酸の重合残渣を含む、上記１または２に記載の太陽電池モジュール。
4.  前記酸コポリマーが、１種以上の金属イオンでカルボン酸総含有量を基準にして約１０％〜約１００％中和されている、上記１〜３のいずれか一項に記載の太陽電池モジュール。
5.  前記酸コポリマーが１種以上の金属イオンでカルボン酸総含有量を基準にして約１０％〜約５０％中和されており、前記１種以上の金属イオンが、ナトリウム、リチウム、マグネシウム、亜鉛、アルミニウム、およびこれらの混合物からなる群から選択される、上記１〜３のいずれか一項に記載の太陽電池モジュール。
6.  前記アイオノマー組成物が、１９０℃で約３ｇ／１０分未満のメルトインデックス（ＭＩ）を有する、上記１〜５のいずれか一項に記載の太陽電池モジュール。
7.  前記第１の封入層が、α−オレフィンとα，β−エチレン性不飽和カルボン酸との酸コポリマー、α−オレフィンとα，β−エチレン性不飽和カルボン酸との部分的にまたは完全に中和された酸コポリマーに由来するアイオノマー、ポリ（エチレン−コ−ビニルアセテート）、ポリ（ビニルアセタール）、ポリウレタン、ポリ塩化ビニル、直鎖低密度ポリエチレン、ポリオレフィンブロックエラストマー、エチレンアクリレートエステルコポリマー、シリコーンエラストマー、エポキシ樹脂およびこれらの組み合わせからなる群から選択されるポリマーを含む１つ以上の追加の高分子層をさらに含む、上記１および３〜６のいずれか一項に記載の太陽電池モジュール。
8.  前記第１の封入層が２つの表面層を含有し、これらの２つの表面層の各々が、α−オレフィンと、コポリマーの総重量を基準にして約１８〜約２５重量％のα，β−エチレン性不飽和カルボン酸との部分的にまたは完全に中和された酸コポリマーに由来するアイオノマー組成物を含む、上記７に記載の太陽電池モジュール。
9.  前記第２の封入層が、太陽電池層の裏面に隣接して存在していると共に配置されている、上記１〜８のいずれか一項に記載の太陽電池モジュール。
10.  前記第２の封入層が、約１〜約１２０ミル（約０．０３〜約３ｍｍ）の厚さを有する、上記９に記載の太陽電池モジュール。
11.  前記第２の封入層が、前記第１の封入層と同一の組成物を有する、上記９または１０に記載の太陽電池モジュール。
12.  前記第２の封入層が、α−オレフィンとα，β−エチレン性不飽和カルボン酸との酸コポリマー、α−オレフィンとα，β−エチレン性不飽和カルボン酸との部分的にまたは完全に中和された酸コポリマーに由来するアイオノマー、ポリ（エチレン−コ−ビニルアセテート）、ポリ（ビニルアセタール）、ポリウレタン、ポリ塩化ビニル、直鎖低密度ポリエチレン、ポリオレフィンブロックエラストマー、エチレンアクリレートエステルコポリマー、シリコーンエラストマーおよびエポキシ樹脂からなる群から選択される組成物を含む、上記９または１０に記載の太陽電池モジュール。
13.  （ｉｖ）前記太陽電池層と反対側に前記第１の封入層に隣接して配置された透明入射層、および（ｖ）前記太陽電池層の裏面に隣接して、または前記第２の封入層が存在する場合には、前記太陽電池層と反対側に前記第２の封入層に隣接して配置されているバックシートをさらに含む、上記１〜１２のいずれか一項に記載の太陽電池モジュール。
14.  上から下に、（ｉ）透明材料製の入射層、（ｉｉ）第１の封入層、（ｉｉｉ）１つまたは複数の電気的に相互接続された太陽電池を含む太陽電池層、（ｉｖ）任意により、第２の封入層、および（ｖ）バックシートから本質的になるアセンブリから調製される太陽電池モジュールであって、前記第１の封入層が、約０．１〜約２０ミル（約０．００３〜約０．５１ｍｍ）の総厚を有すると共に、α−オレフィンと、コポリマーの総重量を基準にして約１８〜約２５重量％のα，β−エチレン性不飽和カルボン酸との酸コポリマーに由来するアイオノマー組成物を含む少なくとも１つの表面層を含み、前記酸コポリマーが、１種以上の金属イオンで総カルボン酸含有量を基準にして約１０％〜約１００％中和されている太陽電池モジュール。
15.  前記第１の封入層が単一層であると共にアイオノマー組成物から本質的になり、前記酸コポリマーが、ナトリウム、リチウム、マグネシウム、亜鉛、アルミニウム、およびこれらの混合物からなる群から選択される１種以上の金属イオンで総カルボン酸含有量を基準にして約１０％〜約５０％中和されている、上記１４に記載の太陽電池モジュール。
16.  （ｉ）上から下に、入射層、第１の封入層、１つまたは複数の電気的に相互接続された太陽電池を含む太陽電池層、任意の第２の封入層、およびバックシートを含むアセンブリを提供する工程および（ｉｉ）前記アセンブリを積層して太陽電池モジュールを形成する工程を含む太陽電池モジュールを製造する方法であって、前記第１の封入層が、約０．１〜約２０ミル（約０．００３〜約０．５１ｍｍ）の総厚を有すると共に、α−オレフィンと、コポリマーの総重量を基準にして約１８〜約２５重量％のα，β−エチレン性不飽和カルボン酸との部分的にまたは完全に中和された酸コポリマーに由来するアイオノマー組成物を含む少なくとも１つの表面層を含む方法。
17.  積層の工程（ｉｉ）が、前記アセンブリを熱および／または圧力に供することにより実施される、上記１６に記載の方法。